(57)【要約】【課題】なるべく温度変化の少ない、経済的で安価な酒類の貯蔵庫を提供することを課題としている。【解決手段】発泡プラスチックからなる断熱箱体である酒類の貯蔵庫１であって、取換え可能な保冷剤１５を備えられる保冷剤収容部１０ａと、酒類のボトルを収容することができる酒類保管部１１ａ，１２ａ，１３ａ，１４ａと、前記保冷剤収容部１０ａと前記酒類保管部１１ａ，１２ａ，１３ａ，１４ａを連通する通気孔とを有するように構成する。【選択図】　図１
2004044924.tif 000002
【特許請求の範囲】
【請求項１】
発泡プラスチックの断熱箱体を備えてなる酒類の貯蔵庫であって、
この断熱箱体は、保冷剤を収容可能な保冷剤収容部と、
酒類のボトルを収容することができる酒類保管部と、
前記保冷剤収容部と前記酒類保管部を連通する通気孔とを有することを特徴とする酒類の貯蔵庫。
【請求項２】
前記酒類保管部は複数層のボトル保管部からなり、隣接する各層のボトル保管部は通気孔で連通されていることを特徴とする請求項１に記載の酒類の貯蔵庫。
【請求項３】
前記断熱箱体は、前記各層のボトル保管部を境に分離可能に形成され、分離された各層の嵌め合い形状が同一であることを特徴とする請求項２に記載の酒類の貯蔵庫。
【請求項４】
前記保冷剤収容部は、前記酒類保管部よりも上に位置することを特徴とする請求項１から請求項３のいずれか１項に記載の酒類の貯蔵庫。
【請求項５】
前記酒類保管部は、保管すべき酒類のボトルの形状と略同じ形状の内部表面を有していることを特徴とする請求項１から請求項４のいずれか１項に記載の酒類の貯蔵庫。
【請求項６】
前記酒類保管部の内部表面には、ボトルを内部表面から所定距離離間させる突起が設けられていることを特徴とする請求項５に記載の酒類の貯蔵庫。
【請求項７】
請求項１から請求項６に記載の前記断熱箱体が段ボール箱内に収容されたことを特徴とする酒類の貯蔵庫。
【発明の詳細な説明】
【０００１】
【発明の属する技術分野】
本発明は、ボトル等に入った酒類を貯蔵する酒類の貯蔵庫に関し、特にボトルの貯蔵に適した温度を経済的に保持できる酒類の貯蔵庫に関するものである。
【０００２】
【従来の技術】
近年、グルメブームにより、日本国内においてワインを飲む人が急増してきている。これに伴い、ワインの味や香りにこだわりを示す人も急増し、ワインの飲み頃についても関心が持たれている。一般にワインは、その原料となるぶどうの収穫地、収穫年によって品質が異なり、ワインにはそれぞれ「飲み頃」の時期があると言われている。天候等の条件に恵まれた葡萄からできたワインは、その多くが、長期間熟成させた後にその本当のおいしさを発揮し、逆に条件に恵まれなかったワインは、比較的短期間の熟成で飲み頃となり、その後は品質が低下するようになる。
【０００３】
【発明が解決しようとする課題】
このように、ワインは、そのワインに応じてある程度熟成させることにより本当のおいしさを味わうことができるが、熟成のためには、一定の温度・湿度など、ワインに適した環境で保存しなければならない。このため、ワインを保存する設備としてワインセラーが利用されている。
【０００４】
一般に、ワインの保存に重要な、温度、湿度、光、振動という４つの要素のうち、特に重要であるとされるのが温度である。保存のための温度については、何度に温度を設定するかということよりも、温度変化を少なくするということが重要であるといわれており、ある１日の温度変化は２度〜３度を超えると問題があるとされている。
そのため、ワインセラーは、好みの温度に一定に維持できるようになっている。ワインセラーには、個人やレストラン、ワイン製造・販売業者などによって使用される様々なタイプがあるが、特に、個人がワインを保存するには、以下のタイプのワインセラーが利用される。
【０００５】
第１の従来のワインセラーとしては、個人・家庭向けに製造販売されている小型の冷蔵庫タイプのものがある。しかし、冷蔵庫タイプのものは、個人で購入するには高額であるとともに、電気代も高くかかるという問題がある。また、ワインの熟成のためには、連続的な振動があるのは好ましくないところ、冷蔵庫タイプのものでは、コンプレッサによる継続的な振動があるという問題点があった。
【０００６】
第２の従来のワインセラーとしては、個人のワインを保管する専門業者のレンタルワインセラーがある。専門業者が保管するため、温度・湿度とも理想的に設定されているが、レンタル料を定期的に支払うことも個人にとっては負担となる。また、人によっては、手元にワインを置いておきたいという欲求を満たされないという問題点もあった。
【０００７】
そこで、本発明は、前記問題を解決するためになされたものであり、なるべく温度変化の少ない、経済的で安価な酒類の貯蔵庫を提供することを課題としている。
【０００８】
【課題を解決するための手段】
本発明は、前記課題を解決すべく構成されるものであり、請求項１に記載の発明は、発泡プラスチックの断熱箱体を備えてなる酒類の貯蔵庫であって、この断熱箱体は、保冷剤を収容可能な保冷剤収容部と、酒類のボトルを収容することができる酒類保管部と、前記保冷剤収容部と前記酒類保管部を連通する通気孔とを有することを特徴とする。
【０００９】
請求項１に記載の発明によれば、保冷剤収容部に収容される保冷剤が冷気を発生し、この冷気が通気孔を通じて酒類保管部に入り、酒類のボトルを冷却する。したがって、酒類のボトルは保冷剤と直接接することがなく、冷気を介して冷やされるため、酒類保管部のボトルを比較的均一な温度で冷やすことができる。また、コンプレッサを使用しないので、継続的な振動もなく、酒類の熟成に好適である。さらに、構造が簡単なので、コストも軽減でき、安価に製造することができる。
【００１０】
請求項２に記載の発明は、請求項１に記載の発明の構成において、前記酒類保管部は複数層のボトル保管部からなり、隣接する各層のボトル保管部は通気孔で連通されていることを特徴とする。
【００１１】
請求項２に記載の発明によれば、請求項１に記載の発明による作用に加え、複数層のボトル保管部が通気孔で連通されていることから、保冷剤による冷気がこの通気孔を介して各層のボトル保管部に行き渡る。そのため、断熱箱体内全体を一定の温度に保つことができ、各層に酒類のボトルを収容することができる。したがって、より多くのボトルを保存できる。
【００１２】
請求項３に記載の発明は、請求項２に記載の発明の構成において、前記断熱箱体は、前記各層のボトル保管部を境に分離可能に形成され、分離された各層の嵌め合い形状が同一であることを特徴とする。
【００１３】
請求項３に記載の発明によれば、請求項２に記載の発明による作用に加え、前記各層のボトル保管部を境に分離可能に形成されていることから、貯蔵したいボトルの本数に合わせて各層を組み合わせ、必要な層数の貯蔵庫を形成することができる。そのため、貯蔵スペースなども必要最小限にすることができる。
【００１４】
請求項４に記載の発明は、請求項１から請求項３のいずれか１項に記載の発明の構成において、前記保冷剤収容部は、前記酒類保管部よりも上に位置することを特徴とする。
【００１５】
請求項４に記載の発明によれば、請求項１または請求項３に記載の発明による作用に加え、保冷剤収容部が断熱箱体内の上部に位置することから、保冷剤の取換えを容易に行うことができる。また、保冷剤収容部が酒類保管部より上にあるため、保冷剤による冷気が通気孔を通じて、酒類保管部に下りて行き、酒類保管部全体に行き渡ることができる。
【００１６】
請求項５に記載の発明は、請求項１から請求項４のいずれか１項に記載の発明の構成において、前記酒類保管部は、保管すべき酒類のボトルの形状と略同じ形状の内部表面を有していることを特徴とする。
【００１７】
請求項５に記載の発明によれば、請求項１から請求項４のいずれか１項に記載の発明による作用に加え、酒類保管部の内部表面が保管すべき酒類のボトルの形状と略同じ形状であることから、酒類保管部に載置されたボトルが転がりにくくなり、安定的に保持される。そのため、ボトルが不意に転がり、割れることを防止することができる。
【００１８】
請求項６に記載の発明は、請求項５に記載の発明の構成において、前記酒類保管部の内部表面には、ボトルを内部表面から所定距離離間させる突起が設けられていることを特徴とする。
【００１９】
請求項６に記載の発明によれば、請求項５に記載の発明による作用に加え、酒類保管部の内部表面に突起が設けられていることから、ボトルが載置される箇所に全面密着することがない。そのため、ボトル周りを空気が通り抜けられることにより、冷気がボトルの周りを流れるとともに、ボトル全体を一定の温度に保つことができる。
【００２０】
請求項７に記載の発明は、酒類の貯蔵庫であって、請求項１から請求項６に記載の前記断熱箱体が段ボール箱内に収容されたことを特徴とする。
【００２１】
請求項７に記載の発明によれば、請求項１から請求項６のいずれか１項に記載の発明による作用に加え、断熱箱体が断熱効果を有する段ボール箱内に保管されている。そのため、断熱効果を一層高めることができる。また、ボトル保管部が複数層である場合でも、一つにまとめることができ、持ち運びに便利である。
【００２２】
【発明の実施の形態】
本発明における酒類の貯蔵庫の一例として、ワインの入ったワインボトルを貯蔵するワインセラーの例を図面を参照しながら説明する。
参照する図面において、図１は、本発明の実施形態に係るワインセラーの構成を示す分解斜視図である。図２（ａ）は、本実施形態に係るワインセラーの断面図であり、（ｂ）は、（ａ）のＡ−Ａ線断面図である。
【００２３】
本実施形態に係るワインセラー１は、図１、図２に示すように保冷剤収容部１０ａを有する保冷剤収容箱１０と、酒類保管部を形成する上段ブロック１１、第１中段ブロック１２、第２中段ブロック１３、および下段ブロック１４とを、それぞれ分離可能に備える。
上段ブロック１１には、ワインボトルを保管するため、ボトル保管部（酒類保管部）１１ａが、横方向に３つ並べて略ワインボトルの形状に合わせた空間に形成される。また同様にして、第１中段ブロック１２、第２中段ブロック１３、下段ブロック１４にもボトル保管部１２ａ，１３ａ，１４ａが形成される。
なお、保冷剤収容箱１０および各ブロック１１，１２，１３，１４の材料には、特に発泡スチレン樹脂が好適に用いられる。
【００２４】
図３（ａ）は、保冷剤収容箱１０の平面図、（ｂ）は、保冷剤収容箱１０の斜視図を示す。保冷剤収容箱１０は、保冷剤１５を収容するための箱である。
保冷剤収容箱１０は、図３（ａ）に示すように、四角形の箱型に形成されている。保冷剤収容箱１０は、隔壁１０ｄ，１０ｄにより内部を３つに仕切られており、その中央に位置する区画である保冷剤収容部１０ａに保冷剤１５（図１参照）が収容されるようになっている。保冷剤収容部１０ａには、中央寄りに縦方向に三列、左右に二行、計六つの長方形の通気孔１０ｂが、保冷剤収容箱１０の下に配置される上段ブロック１１のボトル保管部１１ａに通ずるように形成されている（図２（ａ）、図３（ａ）参照）。
なお、保冷剤収容部１０ａの保冷剤１５の載置面１０ｅは、波型に形成されていることが好ましい。これにより、載置面１０ｅと載置された保冷剤１５との接地面積が狭くなり、より効率よく冷気の発生を促すことができる。
【００２５】
ワインを保管する際には保冷剤１５を収容した後、保冷剤収容部１０ａを、その形状に合わせた大きさの蓋１０ｃで覆うようにする。蓋１０ｃの材料としては、発泡スチレン樹脂などの発泡プラスチックが用いられる。これにより、ワインセラー１の断熱効果を高めることができる。
また、保冷剤収容箱１０の、上段ブロック１１に対する面（下面）には、上段ブロック１１のボトル保管部１１ａに載置されるワインボトルの形状に合わせた表面形状（内部表面）が形成されている。但し、この形状は、必ずしもワインボトルの形状と完全に一致する必要はなく、保冷剤収容箱１０と上段ブロック１１の間に、収容されるワインボトルの障害とならない間隙が形成されていればどんな形状であっても構わない。
【００２６】
図４（ａ）は、上段ブロックの平面図、（ｂ）は上段ブロックの斜視図、（ｃ）は、上段ブロックの断面図である。
上段ブロック１１は、保冷剤収容箱１０の下方に配置され、ボトルを載置できるボトル保管部１１ａを有する。
ボトル保管部１１ａには、ボトルを直接載置するボトル載置面１１ｂと、隣接する各ボトル載置面１１ｂ間の冷気を循環させるための連通孔１１ｆとが設けられている。
【００２７】
ボトル載置面１１ｂは、隣接するボトルの上下を互い違いにして寝かせられるように、載置されるワインボトルの形状に合わせた表面形状（内部表面）に形成される。前記した保冷剤収容箱１０の下面に形成された表面形状とボトル載置面１１ｂの表面形状を一対として、ワインボトルの形状の空洞部が形成される。
【００２８】
ボトル載置面１１ｂには、第１中段ブロック１２との間の冷気の循環のための通気孔１１ｃ，１１ｄと、載置されるボトルをボトル載置面１１ｂに直接密接しないように離間させるリブ（突起）１１ｅとが設けられる。
通気孔１１ｃ，１１ｄは、ボトル載置面１１ｂから第１中段ブロック１２のボトル保管部１２ａに通ずるように形成される（図２（ａ）参照）。
通気孔１１ｃは、載置されるワインボトルの形状の中央部分に位置し、その大きさは、ワインボトルの胴部分を一回り小さくした大きさである。
通気孔１１ｄは、ボトル載置面１１ｂのワインボトルの形状の注ぎ口付近に位置し、たとえば半径１ｃｍ程度の円形状で形成される（図２（ａ）参照）。
【００２９】
リブ１１ｅは、載置されるワインボトルをボトル載置面１１ｂから所定距離離間させるように、ワインボトルの胴部分の上部、下部、その中央に相当する部分に、ボトル周りに沿ってそれぞれ設けられている。これにより、ボトル周りの冷気の循環をよくすることができる。
【００３０】
連通孔１１ｆは、隣接するボトル保管部１１ａ同士の間で冷気を循環させるため、ボトル載置面１１ｂ同士の間に形成される。連通孔１１ｆは、図４（ａ），（ｂ），（ｃ）に示すように、隣接するボトル載置面１１ｂのワインボトルの胴部分に互いに通ずるように形成され、胴部分の半分くらいの幅と、ボトル保管部１１ａの上面から、たとえば１ｃｍくらいの深さを有している。
なお、上段ブロック１１が第１中段ブロック１２に対する面にも、第１中段ブロック１２に載置されるボトルの形状に合わせた表面形状が形成される。
【００３１】
上段ブロック１１の下方に配置される第１中段ブロック１２と、第１中段ブロック１２の下方に配置される第２中段ブロック１３については、上段ブロック１１と同一の構成を有するものであるため、図面には各構成部分について同じ符号を付して、説明を省略する。
なお、各ブロック１１，１２，１３を組み合わせる際には、各ブロック１２，１３に載置されるワインボトルの向きが、各ブロック１２，１３のすぐ上のブロック１１，１２のボトル載置面１１ｂ，１２ｂに載置されるワインボトルの向きと上下が逆になるようにする。
【００３２】
図５は、下段ブロックの平面図である。なお、下段ブロック１４は、上段ブロック１１の構成を一部変更したものであるため、同一の構成部分については、説明を省略する。
下段ブロック１４は、図１に示すように、第２中段ブロック１３の下方に配置され、本実施形態に係るワインセラー１の最下段となる。
【００３３】
図５に示すように、下段ブロック１４は、上段ブロック１１と同様に、３つのボトル載置面１４ｂと連通孔１４ｆとを有するボトル保管部１４ａを備え、ボトル載置面１４ｂはリブ１４ｅを有する。下段ブロック１４は、ワインセラーの最下段であるため、さらに下段につながる通気孔を形成する必要がない。
【００３４】
なお、各ブロック１１，１２，１３，１４はそれぞれ、保冷剤収容箱１０と同様に、四角形の箱型に形成され、その上下の縁部は互いに嵌め合うことができるようになっている。
【００３５】
このワインセラー１に実際にワインを保管する場合は、ワインセラー１を専用の段ボール箱に入れることが好ましい。図６に、段ボール箱（酒類貯蔵庫）の斜視図を示す。図６に示すように、段ボール箱１６は、上部に開口部１６ｇを有する箱型の本体１６ａと、開口部１６ｇの左右の対抗する縁部１６ｅ，１６ｅから折り返すことのできる蓋１６ｂ，１６ｂと、左右の縁部１６ｅ，１６ｅに挟まれた縁部１６ｆから開口部１６ｇの全体に被さる一枚蓋１６ｃを有している。一枚蓋１６ｃの先端部１６ｄは、開口部１６ｇを覆うときに、開口部１６ｇの内側に挿し込めるようになっている。このように構成することで、段ボール箱１６の本体１６ａの開口部１６ｇを蓋１６ｂ，１６ｃにより覆った際の隙間を少なくすることができ、段ボール箱１６とワインセラー１により、ワインセラー内の断熱効果を一層高めることができる。また、持ち運ぶ際にもワインセラー１が分離しないので運びやすい。
【００３６】
以下、本実施形態に係るワインセラー１にワインを保管する場合を説明する。市販の１６０ｇの保冷剤１５を３個１セットとして、保冷剤収容箱１０の保冷剤収容部１０ａに重ならないように並べて、ボトル保管部１１ａ，１２ａ，１３ａ，１４ａにワインボトルを保管する。
これにより、ワインセラー１内をある時間、ある温度範囲に保つことができ、ワインを良好に保存することができる。また、保冷剤１５を定期的に取り換えることによって、ワインをある温度範囲で長期保存することができる。特に、真夏日などは一日２〜３回取り換えることが好ましい。気温が高い真夏日には、保冷剤１５の効果が切れるのも早いためである。
このワインセラー１は、発泡スチレン樹脂など、発泡プラスチックからなるものであるため、コストも軽減でき、安価に製造することができる。
【００３７】
また、複数層のボトル保管部１１ａ，１２ａ，１３ａ，１４ａが通気孔１１ｃ，１１ｄで連通されていることから、保冷剤１５による冷気が各層に行き渡る。そのため、ワインセラー１全体をある温度範囲に保つことができる。したがって、複数本のボトルを保存できる。なお、各層の温度変化は後記するように、およそ２度前後の幅に抑えられる。そのため、温度変化がなるべくないことが望ましいワインの保存に適している。
【００３８】
さらに、保冷剤収容箱１０がワインセラー１内で上部に位置することから、保冷剤１５の取換えを容易に行うことができる。また、保冷剤収容箱１０が各ブロック１１，１２，１３、１４より上にあるため、保冷剤１５による冷気が各ブロック１１，１２，１３，１４に行き渡ることができる。
【００３９】
各ブロック１１，１２，１３，１４のボトル載置面１１ｂ，１４ｂ等が保管すべきワインボトルの形状と略同じ表面形状であることから、ボトル載置面１１ｂ，１４ｂ等に載置されたボトルが転がりにくくなり、安定的に保持される。そのため、ボトルが不意に転がり、割れることを防止することができる。
【００４０】
ボトル載置面１１ｂ，１４ｂにリブ１１ｅ，１４ｅが設けられていることから、ボトルが載置される面に全面密着することがない。そのため、ボトル周りを冷気が通り抜けることができるため、冷気がボトルを包み、ボトル全体をある温度範囲に保つことができる。
【００４１】
保冷剤収容箱１０と各ブロック１１，１２，１３，１４が分離可能に形成されていることから、貯蔵したいボトルの本数に合わせてボトル保管部を組み合わせ、ワインセラー１を形成することができる。そのため、貯蔵スペースなども必要最小限にすることができる。
【００４２】
以上、本実施形態に係るワインセラー１について説明したが、本発明は、前記実施形態に限定されるものではなく、様々な形態で実施される。
本実施形態では、ボトル保管部を４段として構成したが、ボトル保管部は、たとえば、４段未満であってもよいし、５段以上であってもよい。５段以上設けるときは合わせて保冷剤収容箱を増やすこともできる。また、ボトル保管部も、各ブロックに３つ設ける構成としたが、いくつ設けるかは適宜変更可能である。
【００４３】
また、本実施形態では、ボトル載置面１１ｂにリブ１１ｅを設ける構成としたが、本発明はリブに限定されず、ボトル載置面１１ｂから所定距離離間させる突起であれば、どんな形状のものであっても構わない。
【００４４】
段ボール箱に収容されたワインセラーとした場合には、保冷剤収容部１０ａの断熱効果を高めるための蓋１０ｃに加えて、保冷剤収容箱１０の開口部全体を覆うように段ボールの左右を折り返した蓋で覆うようにしてもよい。この構成によれば、一層断熱効果を高めることができる。
なお、本発明に係るボトル保管部、ボトル載置面、通気孔、連通孔の大きさ・形状は、適宜変更可能であることはいうまでもない。
【００４５】
次に、実際に、発泡スチレン樹脂からなるワインセラー１に保冷剤１５を収容してワインを保存した場合の各ブロック１１，１２，１３，１４における温度変化の測定結果を図７に示す。本測定は、各ブロック１１，１２，１３，１４の連通孔１１ｄ，１１ｄ，１１ｄ，１４ｄに温度センサを設けて行った。
【００４６】
図７は、保冷剤１５を予め３個収容し、その後１２時間ごとに交換して２日間各ブロック１１，１２，１３，１４の温度を測定した結果のグラフである。用いる保冷剤１５の中身は高吸水性ポリマーであり、交換時の保冷剤１５の温度は０度であった。
まず、図７から、各ブロック１１，１２，１３，１４の温度変化は、上段ブロック１１は２０度〜２３度、第１中段ブロック１２は１８度〜２１度、第２中段ブロック１３は１８度〜２０度、下段ブロック１４は１９度〜２１度の範囲で温度が変化していることがわかる。すなわち、上段ブロック１１と、第１中段ブロック１２は３度以内の温度差で、第２中段ブロック１３と下段ブロック１４は２度以内の温度差で保たれている。
【００４７】
また、１日目２１時に室内の温度を急激に上昇させた場合であっても、ブロック１１，１２，１３，１４の温度は室温の上昇に比べるとあまり上がらず、温度変化を抑えられることがわかった。
ワインの保存には、前記したように、１日に２〜３度以上の温度変化は好ましくないとされるが、本発明に係るワインセラー１によれば、室内の温度変化に関わらず、第２中段ブロック１３と下段ブロック１４は、個別にみれば、２度以内の温度変化で抑えられ、ワインの保存に適しているということができる。また、上段ブロック１１についてみれば、最高温度を記録したのは、室温が３５度を超えた２日目１８時以降であるため、保冷剤を取り換える時間を短縮するなどして、２度以内の変更幅に抑えることも可能である。第１中段ブロック１２についてみれば、他のブロックに比べて、やや温度変化が激しいが、最高温度の２１度を記録しているのが、１日目９時と２日目１８時であるので、予め第１中段ブロック１２内が冷えた状態でワインを保存すると最小限の温度変化で抑えられる。
【００４８】
したがって、保冷剤１５の交換は１２時間ごとに行えば、各ブロック１１，１２，１３，１４では温度変化を２度以内で抑えることができ、ワインの保存に適していることがわかった。また、室温が３５度以上を超える場合には、保冷剤１５の交換をより短時間で行うとよい。
【００４９】
【発明の効果】
本発明によれば、酒類の保存に際して、温度変化をなるべく抑えることができるとともに、経済的で安価な貯蔵庫を実現することができる。
【図面の簡単な説明】
【図１】本発明の実施形態に係るワインセラーの構成を示す分解斜視図である。
【図２】（ａ）は、本実施形態に係るワインセラーの断面図であり、（ｂ）は、（ａ）のＡ−Ａ線断面図である。
【図３】（ａ）は、保冷剤収容箱の平面図、（ｂ）は、保冷剤収容箱の斜視図である。
【図４】（ａ）は、上段ブロックの平面図、（ｂ）は上段ブロックの斜視図、（ｃ）は、上段ブロックの断面図である。
【図５】下段ブロックの平面図である。
【図６】段ボール箱の斜視図である。
【図７】保冷剤を１２時間ごとに交換して各ブロックの温度を測定した結果のグラフである。
【符号の説明】
１　　　　ワインセラー
１０　　　保冷剤収容箱
１０ａ　　保冷剤収容部
１１　　　上段ブロック
１１ａ　　ボトル保管部
１１ｂ　　ボトル載置面
１１ｃ，１１ｄ　　通気孔
１１ｅ　　リブ（突起）
１１ｆ　　連通孔
１２　　　第１中段ブロック
１３　　　第２中段ブロック
１４　　　下段ブロック
１５　　　保冷剤
１６　　　段ボール箱
【図１】
2004044924.tif 000003
【図２】
2004044924.tif 000004
【図３】
2004044924.tif 000005
【図４】
2004044924.tif 000006
【図５】
2004044924.tif 000007
【図６】
2004044924.tif 000008
【図７】
2004044924.tif 000009